(57)【特許請求の範囲】
【請求項１】
第１の連結具を備えるケースと、
前記ケース内に回転可能に設けられる巻取芯部と、
前記ケースから露出する一方の端部に第２の連結具を備え、他方の端部が前記巻取芯部に固定される紐部と、
前記巻取芯部に対して係合する第１の位置と前記巻取芯部に対して係合を解除される第２の位置の間で移動可能であって、前記ケースに係合可能であるロック機構と、
前記ケース内に収容されており、前記巻取芯部を回転方向に付勢するぜんまいバネと、を有し、
前記ロック機構が前記第２の位置に移動した状態において、前記ぜんまいバネの付勢力により前記巻取芯部が回転し、前記紐部が前記巻取芯部に巻き取られ、
前記巻取芯部は、前記紐部の前記他方の端部が固定される紐部固定部と、前記紐部固定部に対して着脱自在であり、前記ぜんまいバネの外周側端部が係合する動力係合部と、を有するバッグ用肩掛けストラップ。
【請求項２】
前記ロック機構は、前記巻取芯部の回転軸方向から見て、前記巻取芯部の略中心位置に配置されており、
前記ロック機構は、一方の端部が前記ケースから露出するプッシュ軸部と、前記ケース内に収容されており前記プッシュ軸部の他方の端部から放射方向に突出する少なくとも２つの係合突起部と、を有し、
前記ロック機構は、前記回転軸方向に沿って移動可能であり、
前記巻取芯部の中央部には、前記第１の位置にある前記係合突起部が係合可能な放射方向の係合凹部が、少なくとも２つ形成されている請求項１に記載のバッグ用肩掛けストラップ。
【請求項３】
前記ロック機構を、前記巻取芯部の回転軸方向に付勢する軸方向付勢バネを有し、
前記ロック機構は、前記回転軸方向に沿って移動可能であり、
前記軸方向付勢バネは、前記ロック機構を前記第１の位置に付勢する請求項１または請求項２に記載のバッグ用肩掛けストラップ。
【請求項４】
前記ケースは、前記巻取芯部の回転軸方向に互いに分離可能な第１ケース部分および第２ケース部分を有しており、
前記巻取芯部は、前記第１ケース部分と前記第２ケース部分との間に挟まれて、前記ケースに収容される請求項１から請求項３までのいずれかに記載のバッグ用肩掛けストラップ。
【請求項５】
前記ロック機構を、前記巻取芯部の回転軸方向に付勢する軸方向付勢バネと、
前記ケースの内部において、前記第１ケース部分から前記回転軸方向に突出し、先端で前記軸方向付勢バネを支えるバネ受け軸と、を有し、
前記軸方向付勢バネは、前記ロック機構を前記第２ケース部分に押し付けて、前記第１の位置に付勢する請求項４に記載のバッグ用肩掛けストラップ。
【発明の詳細な説明】
【技術分野】
【０００１】
本発明は、バッグなどに連結して使用されるバッグ用肩掛けストラップに関する。
【背景技術】
【０００２】
近年、スマートフォン、タブレット、ノートパソコンなどの普及と、Wｉｆｉや光ファイバーなどの通信インフラの充実化により、複数のモバイル機器やその付属品を持ち歩く人が増えている。また、電車移動などが多い商業地域への通勤者の間では、バッグの中にバッグを入れるなどして複数のバッグを持ち歩き、特定のモバイル機器とその付属品のみを入れた小型のバッグを身に着け、大型のバッグはロッカーに置くなどして、状況に応じてバッグを使い分ける生活習慣が広まりつつある。
【０００３】
バッグを持ち歩く場合、特に、小型のバッグを別の大型のバッグの中に入れて持ち運ぶような場合においては、バッグに取り付けられているストラップが邪魔になる。バッグの肩掛けストラップなどは、ある程度の長さがあるためコンパクトに収容することが難しく、また、長さ調整用の金具などが付属しており、持ち運び難い形状であるものが多い。また、従来のストラップの長さ調整金具では、ストラップの長さ調整範囲が狭いという問題もある。
【０００４】
バッグを肩に掛けない場合などにおいて、ストラップをコンパクトに収納する従来技術としては、たとえば、カバンに設けられた区画に、ストラップを巻き取る技術が提案されている（特許文献１等参照）。しかしながら、従来の巻取式のストラップは、端部がカバンに固定されているため、カバン自体が大型化する問題がある。
【先行技術文献】
【特許文献】
【０００５】
【特許文献１】登録実用新案第３２１４４３３号公報
【発明の概要】
【発明が解決しようとする課題】
【０００６】
本願発明は、このような課題を解決するためになされたものであり、素早くコンパクトに収納可能であり、色々なバッグに容易に付け替えて使用できるバッグ用肩掛けストラップを提供する。
【課題を解決するための手段】
【０００７】
本願発明に係るバッグ用肩掛けストラップは、
第１の連結具を備えるケースと、
前記ケース内に回転可能に設けられる巻取芯部と、
前記ケースから露出する一方の端部に第２の連結具を備え、他方の端部が前記巻取芯部に固定される紐部と、
前記巻取芯部に対して係合する第１の位置と前記巻取芯部に対して係合を解除される第２の位置の間で移動可能であって、前記ケースに係合可能であるロック機構と、を有する。
【０００８】
本発明に係るバッグ用肩掛けストラップは、第１の連結具と第２の連結具とを、バックの両端に連結することにより、色々なバッグに容易に付け替えて使用できる。また、紐部がケース内の巻取芯部に巻きとられるため、素早くコンパクトに収納可能である。さらに、ロック機構により巻取芯部のロック・ロック解除を切り換えることにより、紐部の長さを広い範囲で自由に調整可能である。
【０００９】
また、たとえば、本発明に係るバッグ用肩掛けストラップは、前記ケース内に収容されており、前記巻取芯部を回転方向に付勢するぜんまいバネを有してもよく、
前記ロック機構が前記第２の位置に移動した状態において、前記ぜんまいバネの付勢力により前記巻取芯部が回転し、前記紐部が前記巻取芯部に巻き取られてもよい。
【００１０】
このようなバッグ用肩掛けストラップは、ロック機構を解除することにより自動的に紐部が巻取芯部に巻き取られるため、より素早くコンパクトに収納可能である。
【００１１】
また、たとえば、前記巻取芯部は、前記紐部の前記他方の端部が固定される紐部固定部と、前記紐部固定部に対して着脱自在であり、前記ぜんまいバネの外周側端部が係合する動力係合部と、を有してもよい。
【００１２】
このようなバッグ用肩掛けストラップは、紐部固定部を交換することにより、バッグ用肩掛けストラップに用いる紐部を容易に交換可能である。したがって、たとえば、バッグや服装などに合わせ、自分の好みのデザインの紐部を使うことができる。
【００１３】
また、たとえば、前記ロック機構は、前記巻取芯部の回転軸方向から見て、前記巻取芯部の略中心位置に配置されていてもよく、
前記ロック機構は、一方の端部が前記ケースから露出するプッシュ軸部と、前記ケース内に収容されており前記プッシュ軸部の他方の端部から放射方向に突出する少なくとも２つの係合突起部と、を有してもよく、
前記ロック機構は、前記回転軸方向に沿って移動可能であってもよく、
前記巻取芯部の中央部には、前記第１の位置にある前記係合突起部が係合可能な放射方向の係合凹部が、少なくとも２つ形成されていてもよい。
【００１４】
このようなロック機構は、巻取芯部の略中心位置に配置されていることにより、巻取芯部を確実にロックすることができる。また、係合突起部および係合凹部が複数形成されていることにより、ロック時において係合突起部に加えられる負荷を軽減し、良好な耐荷重および耐久性を有する。また、ロック機構を巻取芯部の略中心位置に配置することで、ケースを含めたバッグ用肩掛けストラップをより小型化できる。
【００１５】
また、たとえば、前記ロック機構を、前記巻取芯部の回転軸方向に付勢する軸方向付勢バネを有してもよく、
前記ロック機構は、前記回転軸方向に沿って移動可能であってもよく、
前記軸方向付勢バネは、前記ロック機構を前記第１の位置に付勢してもよい。
【００１６】
このようなバッグ用肩掛けストラップは、軸方向付勢バネによりロック機構が第１の位置に付勢されているため、ロック忘れによる誤動作などを防止することができる。また、操作者は、紐部の長さ調整や収納に際して、基本的にロック機構をプッシュするだけの操作で足りるため、このようなバッグ用肩掛けストラップは非常にシンプルで操作性に優れている。
【００１７】
また、たとえば、前記ケースは、前記巻取芯部の回転軸方向に互いに分離可能な第１ケース部分および第２ケース部分を有してもよく、
前記巻取芯部は、前記第１ケース部分と前記第２ケース部分との間に挟まれて、前記ケースに収容されてもよい。
【００１８】
ケースが回転軸方向に互いに分離可能な第１ケース部分と第２ケース部分とを有することにより、このようなバッグ用肩掛けストラップは、分解・組み立てが容易である。
【００１９】
また、たとえば、前記ロック機構を、前記巻取芯部の回転軸方向に付勢する軸方向付勢バネと、
前記ケースの内部において、前記第１ケース部分から前記回転軸方向に突出し、先端で前記軸方向付勢バネを支えるバネ受け軸と、を有してもよく、
前記軸方向付勢バネは、前記ロック機構を前記第２ケース部分に押し付けて、前記第１の位置に付勢してもよい。
【００２０】
このようなバネ受け軸とケースの構造により、巻取芯部の略中心位置にあるロック機構を、シンプルな構造で第１の位置に付勢することができる。したがって、このようなバネ受け軸とケースの構造は、バッグ用肩掛けストラップの小型化と耐久性向上に資する。
【図面の簡単な説明】
【００２１】
【図１】図１は、本発明の第１実施形態に係るバッグ用肩掛けストラップの概略図である。
【図２】図２は、図１に示すバッグ用肩掛けストラップにおいて、紐部を引っ張り出した状態を示す概略図である。
【図３】図３は、図１に示すバッグ用肩掛けストラップの使用状態を示す概念図である。
【図４】図４は、図１に示すバッグ用肩掛けストラップの分解斜視図である。
【図５】図５は、図１に示すバッグ用肩掛けストラップにおけるぜんまいバネおよび動力係合部を示す斜視図である。
【図６】図６は、図１に示すバッグ用肩掛けストラップにおいて第２ケース部分を取り外した状態を示す斜視図である。
【図７】図７は、図１に示すバッグ用肩掛けストラップにおける軸方向付勢バネおよびバネ受け軸等を示す部分組立図である。
【図８】図８は、図１に示すバッグ用肩掛けストラップにおけるロック機構の移動状態を示す概念図である。
【発明を実施するための形態】
【００２２】
図１は、本発明の一実施形態に係るバック用肩掛けストラップ１０（以下、単に「ストラップ１０」とも言う。）の概略図である。図１に示すように、ストラップ１０は、ケース２０、第１の連結具２２、紐部４０、第２の連結具４５およびロック機構５０等を有する。
【００２３】
図２は、図１に示すストラップ１０から紐部４０を引き出した状態を示す概略図である。図２に示すように、ストラップ１０は、ケース２０から紐部４０を引き出して使用される。ケース２０の内部には、紐部４０を巻き取る巻取芯部３０（図４参照）が収容されており、紐部４０はケース２０内部の巻取芯部３０に巻き取られてケース２０内に収容される。
【００２４】
図３は、ストラップ１０の使用状態の一例を示す概念図である。図３に示すように、ストラップ１０は、バッグ本体部９０に取り付けて使用される。ストラップ１０は、第１の連結具２２および第２の連結具４５を、バッグ本体部９０におけるリング状のストラップ取付け部９２に連結して使用する。ストラップ１０を取り付けるバッグ本体部９０の大きさおよび重量としては特に限定されないが、バッグのサイズとしては長辺の長さが１０〜５０ｃｍ程度、重さは０．１〜１０ｋｇ程度のものが想定される。
【００２５】
図３に示すように、ストラップ１０の紐部４０を引き延ばすことにより、ストラップ１０をバッグ本体部９０の肩掛け紐として使用することができる。ストラップ１０が有する第１の連結具２２および第２の連結具４５は、バッグ本体部９０に備えられるストラップ取付け部９２に容易に連結できるように、開閉式のフックなどで構成されることが好ましい。たとえば、第１の連結具２２および第２の連結具４５としては、たとえばスナップフック、Dフック、ナスカン、カラビナなどが挙げられる。
【００２６】
また、第１の連結具２２および第２の連結具４５の材質も特に限定されず、金属やプラスチックなどを採用することができる。ストラップ１０は、色々なバッグに容易に付け替えて使用でき、紐部４０の長さの調整も自在である。したがって、ストラップ１０は、単に特定のバッグ本体部９０に取り付けて使用する便利な肩掛けストラップであるということのみには留まらない。ストラップ１０は、たとえば、バッグ・イン・バッグのような状態で複数のバッグを持ち歩く場合に、大型のバッグ本体部にストラップ１０を付けて使用し、小型のバッグについてはストラップを付けずに大型のバッグ内にコンパクトに収納しておく。小型のバッグを使用する場合には、ストラップ１０を大型のバッグから付け替えて使用する。ストラップ１０を用いることにより、このようなバッグの新しい使用スタイルが容易に行えるようになる。すなわち、ストラップ１０を１個持っておくだけで、色々なバッグ本体部９０にストラップ１０を付け替えて使用することができるので、バッグ・イン・バッグのような状態での荷物の持ち運びが非常に効率的で便利になる。以下、ストラップ１０の構造について、さらに詳細に説明する。
【００２７】
図４は、ストラップ１０の分解斜視図である。図４に示すように、ストラップ１０は、第１の連結具２１を備えるケース２０と、ロック機構５０と、巻取芯部３０と、紐部４０と、を有する。また、ストラップ１０は、軸方向付勢バネ７０と、バネ受け軸８０と、ぜんまいバネ６０（図５参照）を有する。
【００２８】
図１および図２に示すように、ケース２０は背の低い略円筒状の外形状を有しており、ケース２０の側面には、第１の連結具２２が取り付けられている。図４に示すように、ケース２０は、巻取芯部３０の回転軸方向Ｄ１に互いに分離可能な第１ケース部分２４および第２ケース部分２６を有する。
【００２９】
第１ケース部分２４は、略有底円筒状の外形状を有しており、略円盤状の第２ケース部分２６は、第１ケース部分２４の蓋の役割を果たす。図４に示すように、巻取芯部３０や、紐部４０およびロック機構５０の少なくとも一部は、第１ケース部分２４と第２ケース部分２６との間に挟まれて、ケース２０内に収容される。
【００３０】
第１ケース部分２４と第２ケース部分２６とは、係合または嵌合構造や、螺合構造により、着脱自在であることが好ましい。第１ケース部分２４と第２ケース部分２６とを着脱自在とすることにより、ユーザーがケース２０を分解して、紐部４０の交換などを自由に行うことができる。
【００３１】
第１ケース部分２４の側面には、紐部４０を挿通させる開口部２４ａが形成されている。また、第１ケース部分２４の内側底部には、バネ受け軸８０を固定するための凹部２５が形成されている。また、第２ケース部分２６の内側には、ロック機構５０の回転止めを行う回転止め突起２８が形成されている。
【００３２】
第１ケース部分２４および第２ケース部分２６は、たとえば樹脂成形や金属加工などによって作製することができるが、ケース２０の材質は、金属や樹脂のみには限定されない。
【００３３】
図４に示すように、巻取芯部３０は、ケース２０内に回転可能に設けられる。巻取芯部３０は、紐部４０の他方の端部４４が固定される紐部固定部３２と、紐部固定部３２に対して着脱自在である動力係合部３４とを組み合わせて構成される。
【００３４】
図４に示すように、紐部固定部３２は、略リング状の形状を有する。ストラップ１０では、巻取芯部３０がバネ受け軸８０を回転中心として回転することにより、紐部固定部３２の外周に紐部４０が巻き取られ、紐部４０がケース２０内に収容される。紐部固定部３２の内周面には、動力係合部３４の外周面に形成される連結突起３５に嵌合する連結溝３３が形成されている。
【００３５】
動力係合部３４は、略円筒状の外形状を有しており、外周面に連結突起３５が形成されている。動力係合部３４は、紐部固定部３２の内側にはめ込んで固定され、紐部固定部３２と動力係合部３４が一体となった状態で使用される。図５は、図４に示す動力係合部３４を、図４とは逆方向（第１ケース部分２４側）から見た概略斜視図である。
【００３６】
図５に示されるように、動力係合部３４には、ぜんまいバネ６０の外周側端部６２が係合している。ぜんまいバネ６０は、動力係合部３４の内周側であって第１ケース部分２４側の部分に配置されており、ぜんまいバネ６０の内周側端部６４は、バネ受け軸８０の基部８４に係合している。このように、ぜんまいバネ６０は、ケース２０内であって巻取芯部３０の中央部分に収容され、巻取芯部３０を回転方向に付勢する。
【００３７】
ぜんまいバネ６０は、図４に示す紐部４０がケース２０から引き出されることによって弾性変形量が大きくなり、ぜんまいバネ６０に力が蓄積される。後述するように、ロック機構５０が第２の位置Ｐ２（図７参照）に移動すると、巻取芯部３０のロックが解除される。巻取芯部３０のロックが解除されると、図５に示すぜんまいバネ６０の付勢力によって巻取芯部３０が回転し、紐部４０が巻取芯部３０に巻き取られる。
【００３８】
図４に示すように、動力係合部３４の回転軸方向Ｄ１中央付近には、動力係合部３４の内部の空間を仕切る仕切り板３８が形成されている。仕切り板３８は、回転軸方向Ｄ１の略直交方向に延在し、図５に示すぜんまいバネ６０の配置が、第２ケース部分２６側にずれることを防止する。
【００３９】
略円形平板状の仕切り板３８の中心には、バネ受け軸８０を挿通させる中央孔３８ａが形成されている。中央孔３８ａの内径は、バネ受け軸８０の外径より僅かに大きくなるように形成されており、動力係合部３４は、バネ受け軸８０に対して相対回転可能である。
【００４０】
図４に示すように、動力係合部３４の内周側であって第２ケース部分２６側の端面には、係合受け部３７と係合凹部３６とが形成されている。係合凹部３６は、回転軸方向Ｄ１から見て巻取芯部３０の中央部に、少なくとも２つ（実施形態では４つ）形成されている。
【００４１】
図４および図６に示すように、４つの係合凹部３６は、バネ受け軸８０に対して放射方向に形成されている。また、４つの係合凹部３６は、動力係合部３４の外周から内側へ突出する係合受け部３７の間に形成されている。後述するように、係合凹部３６には、第１の位置Ｐ１（図８参照）にあるロック機構５０の係合突起部５４が係合可能であり、ロック機構５０の係合突起部５４が係合凹部３６に係合することにより、巻取芯部３０の回転が阻止される。一方、ロック機構５０が第２の位置Ｐ２（図８参照）にあると、ロック機構５０の係合突起部５４と、巻取芯部３０の係合凹部３６および係合受け部３７との回転軸方向Ｄ１の位置が一致しないため、巻取芯部３０は、ロック機構５０、ケース２０およびバネ受け軸８０に対して、相対回転可能である。
【００４２】
図４に示すように、紐部４０は、ケース２０から露出する一方の端部４２に第２の連結具４５を備える。紐部４０の他方の端部４４は、巻取芯部３０における紐部固定部３２に固定される。紐部４０の材質は特に限定されないが、たとえば、樹脂、布、革などを帯状に形成したものを、紐部４０として使用することができる。紐部４０の長さは、特に限定されないが、たとえば５０〜１５０ｃｍ程度とすることができる。
【００４３】
なお、図４に示すように、紐部固定部３２と動力係合部３４が着脱自在になっているため、一体になった紐部固定部３２および紐部４０を、動力係合部３４に対して付け替えることにより、ストラップ１０では、紐部４０を、別のものと容易に交換することができる。これにより、ストラップ１０の使用者は、ストラップ１０を使用するシチュエーション等に合わせて、好みの紐部４０を選び、自らケース２０にセットして使用することができる。
【００４４】
図１および図４に示すように、ロック機構５０は、ケース２０内において、巻取芯部３０の回転軸方向Ｄ１から見て、巻取芯部３０の略中心位置に配置されている。図４に示すように、ロック機構５０は、一方の端部がケース２０から露出するプッシュ軸部５２と、ケース２０内に収容されておりプッシュ軸部５２の他方の端部から放射状に突出する少なくとも２つ（実施形態では４つ）の係合突起部５４と、を有する。
【００４５】
図６は、ストラップ１０を構成する部材のうち、ケース２０の第２ケース部分２６を取り外した状態を表す概略図である。図６に示すように、ロック機構５０における係合突起部５４は、巻取芯部３０における係合凹部３６に対応して形成されている。
【００４６】
図７は、図６に示す状態から、さらにロック機構５０を取り除いた状態を示す概略図である。図７に示すように、バネ受け軸８０の先端８２には、ロック機構５０を回転軸方向Ｄ１に付勢する軸方向付勢バネ７０が設置されている。図４から理解できるように、バネ受け軸８０は、第１ケース部分２４の凹部２５に固定される取付面８６と、取付面８６から回転軸方向Ｄ１に突出する基部８４および先端８２を有する。
【００４７】
図４に示すように、バネ受け軸８０は、ケース２０の内部において、第１ケース部分２４から回転軸方向Ｄ１に突出し、先端８２で軸方向付勢バネ７０を支える。図６に示すロック機構５０におけるプッシュ軸部５２の他方の端部には、図７に示す軸方向付勢バネ７０およびバネ受け軸８０の先端８２が挿入される有底の穴部（不図示）が形成されている。
【００４８】
図６に示すように、バネ受け軸８０の先端８２に取付けられるロック機構５０は、図４および図７に示す軸方向付勢バネ７０により、第２ケース部分２６に押し付けられ、図１〜図３に示すように、プッシュ軸部５２の一方の端部が、第２ケース部分２６の中央に形成されている軸挿通孔２９から、ケース２０の外部へ露出する。なお、ロック機構５０の係合突起部５４が軸挿通孔２９に引っ掛かることにより、ロック機構５０全体が軸挿通孔２９から外部に露出してしまうことが防止されている。なお、図４および図７に示す軸方向付勢バネ７０は、圧縮コイルバネであるが、軸方向付勢バネ７０としては圧縮コイルバネのみには限定されず、板バネなどの他のバネであってもよい。
【００４９】
図４に示すロック機構５０は、軸挿通孔２９および回転止め突起２８によりガイドされ、回転軸方向Ｄ１に沿って移動可能である。図８は、ストラップ１０におけるロック機構５０の移動を説明する概念図である。なお、図８では、ロック機構５０の係合突起部５４と、巻取芯部３０の係合凹部３６との位置関係を説明するために、ケース２０における第２ケース部分２６の図示を省略している。
【００５０】
ロック機構５０は、使用者等によってロック機構５０を操作されていない状態では、通常、図８（ａ）に示す第１の位置Ｐ１に位置する。すなわち、ロック機構５０は、軸方向付勢バネ７０によって、回転軸方向Ｄ１であって図８（ａ）の紙面上向き方向の付勢力を受けている。したがって、ロック機構５０の係合突起部５４は、軸方向付勢バネ７０の付勢力により巻取芯部３０の係合凹部３６にはまり込み、図８（ａ）に示す第１の位置Ｐ１に位置する。第１の位置Ｐ１では、巻取芯部３０の係合凹部３６に対してロック機構５０の係合突起部５４が係合し、巻取芯部３０の回転が阻止される。なぜなら、ロック機構５０の係合突起部５４は、第２ケース部分２６の回転止め突起２８（図４参照）に係合可能になっているため、ロック機構５０自体の回転は、ケース２０によって常に阻止されるようになっているからである。
【００５１】
一方、ストラップ１０の使用者等によってロック機構５０がプッシュされ、ロック機構５０がケース２０内に向かって押し込まれることにより、ロック機構５０は、図８（ｂ）に示す第２の位置Ｐ２に移動する。図８に示すように、ロック機構５０が第２の位置Ｐ２に位置する状態では、ロック機構５０の係合突起部５４は、係合凹部３６から図８（ｂ）の紙面下向き方向に離脱し、ロック機構５０は、巻取芯部３０に対して係合を解除される。
【００５２】
ロック機構５０が図８（ｂ）に示す第２の位置Ｐ２に位置する状態では、巻取芯部３０は、ケース２０およびバネ受け軸８０に対して、自由に相対回転できる。このように、ロック機構５０が第１の位置Ｐ１と第２の位置Ｐ２の間で移動可能であることにより、ストラップ１０は、紐部４０を巻き取る巻取芯部３０のロックおよびロック解除を切り換えることができる。
【００５３】
ストラップ１０は、バッグ用肩掛けストラップとして使用しないときなどは、図１に示すように紐部４０のほとんどをケース２０内に収容したコンパクトな状態とすることができる。また、使用者は、ストラップ１０の紐部４０を引き出す際には、ロック機構５０の露出部分を指などで押して、ロック機構５０を第２の位置Ｐ２（図８（ｂ）参照）まで押し込みながら、紐部４０の先端（一方の端部４２や第２の連結具４５など）を引く。これにより、巻取芯部３０が回転し、ストラップ１０の使用者は、紐部４０を引き出すことができる。
【００５４】
さらに、ストラップ１０の使用者は、好みの長さまで紐部４０を引き出した後、ロック機構５０から指を離す。図４、６、８等を用いて説明したように、ストラップ１０では、軸方向付勢バネ７０が、ロック機構５０を第１の位置Ｐ１に付勢しているため、使用者がロック機構５０から指を離すと、ロック機構５０は第１の位置Ｐ１に移動し、巻取芯部３０の回転がロックされ、紐部４０の長さが固定される（図３参照）。
【００５５】
また、紐部４０をケース２０内に収納する際には、ストラップ１０の使用者は、単に、ロック機構５０の露出部分を指などで押して、ロック機構５０を第２の位置Ｐ２まで押し込めばよい。紐部４０が引かれていない状態で巻取芯部３０のロックが解除されると、巻取芯部３０はぜんまいバネ６０（図５参照）の力で回転し、ケース２０から露出していた紐部４０が、巻取芯部３０に巻き取られ、ケース２０内に収納される。なお、紐部４０の長さを短く調整したい場合は、紐部４０の露出部分を持ちつつロック機構５０を押し込み、巻取芯部３０による紐部４０の巻取量を調整すればよい。
【００５６】
図１から図８に示すストラップ１０は、第１の連結具２２と第２の連結具４５とを、バッグ本体部９０の両端に連結することにより、色々なバッグ本体部９０に容易に付け替えて使用できる。また、紐部４０がケース２０内の巻取芯部３０に巻きとられるため、素早くコンパクトに収納可能である。さらに、ロック機構５０により巻取芯部３０のロック・ロック解除を切り換えることにより、紐部４０の長さを広い範囲で自由に調整可能である。なお、ストラップ１０が支えることができる最大引張荷重は、バッグ本体部９０の大きさや用途によって異なるが、たとえば１〜１０ｋｇ程度とすることができる。
【００５７】
また、ストラップ１０では、ロック機構５０が、巻取芯部３０の略中心位置に重なるように配置されていることにより、巻取芯部３０を確実にロックすることができる。また、係合突起部５４および係合凹部３６が複数形成されていることにより、ロック時において係合突起部５４等に加えられる負荷を軽減し、ストラップ１０は、良好な耐荷重および耐久性を有する。また、ロック機構５０を巻取芯部３０の略中心位置に配置することで、ケースを含めたバッグ用肩掛けストラップをより小型化できる。
【００５８】
また、図４に示すバネ受け軸８０は、ロック機構５０を付勢する軸方向付勢バネ７０を支えるだけでなく、巻取芯部３０の回転軸も兼ねており、部品点数の削減、耐久性の向上および小型化に対して効果的な形状である。
【００５９】
以上のように、実施形態を挙げて本発明を説明してきたが、本発明は上述した実施形態のみに限定されるものではなく、他の実施形態や変形例が、本発明の技術的範囲に含まれることは言うまでもない。たとえば、実施形態において、ロック機構５０は、９０度ピッチで均等かつ放射状に配置される４つの係合突起部５４を有するが、ロック機構は、１２０度、６０度、４５度など、他の角度で均等かつ放射状に配置される複数の係合突起を有していてもよい。
【符号の説明】
【００６０】
１０…ストラップ（バッグ用肩掛けストラップ）
２０…ケース
２２…第１の連結具
２４…第１ケース部分
２４ａ…開口部
２５…凹部
２６…第２ケース部分
２８…回転止め突起
２９…軸挿通孔
３０…巻取芯部
Ｄ１…回転軸方向
４０…紐部
３２…紐部固定部
３３…連結溝
３４…動力係合部
３５…連結突起
３６…係合凹部
３７…係合受け部
３８…仕切り板
３８ａ…中央孔
４２…一方の端部
４４…他方の端部
４５…第２の連結具
５０…ロック機構
Ｐ１…第１の位置
Ｐ２…第２の位置
５２…プッシュ軸部
５４…係合突起部
６０…ぜんまいバネ
６２…外周側端部
６４…内周側端部
７０…軸方向付勢バネ
８０…バネ受け軸
８２…先端
８４…基部
８６…取付面
９０…バッグ本体部
９２…ストラップ取付け部
【要約】
【課題】素早くコンパクトに収納可能であり、色々なバッグに容易に付け替えて使用できるバッグ用肩掛けストラップを提供する。
【解決手段】  第１の連結具を備えるケースと、前記ケース内に回転可能に設けられる巻取芯部と、前記ケースから露出する一方の端部に第２の連結具を備え、他方の端部が前記巻取芯部に固定される紐部と、前記巻取芯部に対して係合する第１の位置と前記巻取芯部に対して係合を解除される第２の位置の間で移動可能であって、前記ケースに係合可能であるロック機構と、を有するバッグ用肩掛けストラップ。
【選択図】図３【図１】
0006984095.tif 000002
【図２】
0006984095.tif 000003
【図３】
0006984095.tif 000004
【図４】
0006984095.tif 000005
【図５】
0006984095.tif 000006
【図６】
0006984095.tif 000007
【図７】
0006984095.tif 000008
【図８】
0006984095.tif 000009